(57)【特許請求の範囲】
【請求項１】
容器の口部に装着される外周部が円筒状のキャップ本体と、
前記キャップ本体の上部に設けられた蓋体収納凹部に支持部を介して開閉自在に設けられた蓋体と、
前記キャップ本体の前記外周部に沿って回転自在に装着され、上部が開口した内周部が円筒状のキャップカバーと、を備え、
前記蓋体は、平面視が円以外の形状に形成されており、
前記キャップカバーは、上部の開口縁部が、閉じた状態の前記蓋体より上方の位置まで延設され、かつ、延設された前記開口縁部から前記蓋体の上部に向かって蓋体押え片が延設されており、
前記キャップ本体の外周部及び前記キャップカバーの内周部のいずれか一方に突起部が形成され、他方には、前記突起部が嵌まり込んで摺動する円弧状または環状の溝部が形成されており、
前記キャップ本体の外周部または前記キャップカバーの内周部において前記突起部に対応する位置に、上端部から前記溝部に達する縦溝が形成されており、
前記縦溝の前記溝部の直上位置には、前記縦溝内を前記突起部が摺動して前記溝部側に乗り越える第３リブ片が形成されており、
前記第３リブ片は、前記溝部内に嵌まり込んだ前記突起部が前記縦溝側に戻らない構成とされていることを特徴とする蓋ロック機能付きキャップ。
【請求項２】
請求項１に記載の蓋ロック機能付きキャップであって、
前記蓋体押え片は、前記キャップカバーが前記蓋体を開閉可能な開閉位置では前記蓋体の上部に重ならず、前記開閉位置から前記キャップカバーを回転させることで前記蓋体上部の重なる位置に移動する構成とされていることを特徴とする蓋ロック機能付きキャップ。
【請求項３】
請求項１または請求項２に記載の蓋ロック機能付きキャップであって、
前記蓋体は、少なくとも外周部の一部若しくは対向する二辺が円弧以外の曲線状または直線状に形成されていることを特徴とする蓋ロック機能付きキャップ。
【請求項４】
請求項１から請求項３までのいずれか一つに記載のロック機構付きキャップであって、
前記キャップカバーは、前記蓋体を開閉可能な開閉位置において、前記蓋体を開閉操作する操作部に対向する周側面に、前記開口縁部を下方に凹ませた前側開口凹部が形成され、前記支持部に対向する周側面に、前記開口縁部を下方に凹ませた後側開口凹部が形成され、前記後側開口凹部の幅は、前記支持部の幅に対して広い幅に形成されていることを特徴とする蓋ロック機能付きキャップ。
【請求項５】
請求項１から請求項４までのいずれか一つに記載の蓋ロック機能付きキャップであって、
前記溝部には、前記突起部が当たって乗り越える第１リブ片が形成されていることを特徴とする蓋ロック機能付きキャップ。
【請求項６】
請求項１から請求項５までのいずれか一つに記載の蓋ロック機能付きキャップであって、
前記溝部には、前記突起部の回動移動を規制する第２リブ片が形成されていることを特徴とする蓋ロック機能付きキャップ。
【発明の詳細な説明】
【技術分野】
【０００１】
本発明は、容器の口部に装着するキャップの蓋体を保護する蓋ロック機能付きキャップに関する。
【背景技術】
【０００２】
キャップ本体に開閉可能にヒンジ結合された蓋体を有するヒンジキャップの利点は、力を入れずに蓋体を簡単に開閉できることにある。そのため、このようなヒンジキャップは、容器内に充填された内部組成物を容易に取り出せる部材として化粧品や食品などの技術分野において汎用されている。
【０００３】
特に、化粧品の技術分野においては、デオドラントローション、スキンローションといった外出時に鞄に入れて持ち運ばれる形態の製品に応用されることが多い。
【０００４】
しかしながら、従来のヒンジキャップは、容易に開閉できるが故に人的な力ではない外的要因により簡単に開蓋してしまうといった問題があった。具体的に説明すると、例えば鞄に入れて持ち歩いた場合、歩行中に鞄が何かに当たる、鞄を机や床等に勢いよく置くといった行為等によって鞄に衝撃が加わり、鞄内の他の収納物とぶつかってヒンジキャップが開蓋してしまい、内部組成物が漏れ出してしまうといった問題があった。
【０００５】
そのため、意に反した開蓋を防止すべく、閉蓋状態を確実に維持するためのロック機構をヒンジキャップに設ける試みが検討されている（例えば、特許文献１参照）。
【０００６】
特許文献１には、容器体口頸部に装着するとともに、頂部中央部を前後に縦断する蓋体収納凹部を備え、且つ、蓋体収納凹部内に注出口を開口したキャップ本体と、注出口を閉塞して蓋体収納凹部内に嵌合するとともに、後部をキャップ本体の後部に回動可能に連結して開閉可能に設け、且つ、蓋体収納凹部前端の開口部に露出する前部に指掛け部を設けた蓋体とを備え、キャップ本体及び蓋体の周囲に回転可能に嵌合させるとともに、キャップ本体周囲を囲繞する基筒部上に、蓋体収納凹部の前端の開口部を開閉可能に被覆する被覆板部を立設した回転体を設けたロック機構付きキャップが開示されている。
【０００７】
すなわち、特許文献１に記載のロック機構付きキャップは、ヒンジキャップの側面に可動式の壁面である回転体の被覆板部を設け、この回転体を９０度回転させることにより、被覆板部がヒンジキャップのヒンジ部を被覆することでヒンジ部の開閉動作を阻害する構成となっている。
【先行技術文献】
【特許文献】
【０００８】
【特許文献１】特開２０１０−２７４９９５号公報
【発明の概要】
【発明が解決しようとする課題】
【０００９】
上記特許文献１に記載のロック機構付きキャップによれば、被覆板部によりヒンジ部の開閉を抑制するためには、被覆板部と蓋体との間のクリアランスを極力狭くして、開閉の際に蓋体のヒンジ部に被覆板部を密着させる必要がある。従って、そのような密着性を得るためには、ヒンジ部や蓋部の形状を密着性の良い形状に限定する必要があり、設計の自由度が限られてしまうといった問題があった。
【００１０】
また、上記特許文献１に記載のロック機構付きキャップでは、蓋体の後端部であるヒンジ部のみを被覆する（ロックする）機構であり、開閉する側である蓋体の前端部については、ロック機構が無く、開きやすい状態となっている。そのため、後端部でのロックが弱い（すなわち、密着性が低い）場合には、少しの外的要因によっても蓋体の前端部側が開いてしまう可能性があるといった問題があった。
【００１１】
本発明はかかる問題点を解決すべく創案されたもので、その目的は、蓋体を上部から直接押さえるようなロック構造とすることで、様々な外的要因が加わったとしても、閉まっている蓋体が不測に開くことを確実に防止することのできる蓋ロック機能付きキャップを提供することにある。
【課題を解決するための手段】
【００１２】
上記課題を解決するため、本発明の蓋ロック機能付きキャップは、容器の口部に装着される外周部が円筒状のキャップ本体と、前記キャップ本体の上部に設けられた蓋体収納凹部に支持部を介して開閉自在に設けられた蓋体と、前記キャップ本体の前記外周部に沿って回転自在に装着され、上部が開口した内周部が円筒状のキャップカバーと、を備え、前記蓋体は、平面視が円以外の形状に形成されており、前記キャップカバーは、上部の開口縁部が、閉じた状態の前記蓋体より上方の位置まで延設され、かつ、延設された前記開口縁部から前記蓋体の上部に向かって蓋体押え片が延設されており、前記キャップ本体の外周部及び前記キャップカバーの内周部のいずれか一方に突起部が形成され、他方には、前記突起部が嵌まり込んで摺動する円弧状または環状の溝部が形成されており、前記キャップ本体の外周部または前記キャップカバーの内周部において前記突起部に対応する位置に、上端部から前記溝部に達する縦溝が形成されており、前記縦溝の前記溝部の直上位置には、前記縦溝内を前記突起部が摺動して前記溝部側に乗り越える第３リブ片が形成されており、前記第３リブ片は、前記溝部内に嵌まり込んだ前記突起部が前記縦溝側に戻らない構成とされていることを特徴としている。
【００１３】
また、本発明によれば、前記蓋体押え片は、前記キャップカバーが前記蓋体を開閉可能な開閉位置では前記蓋体の上部に重ならず、前記開閉位置から前記キャップカバーを回転させることで前記蓋体上部の重なる位置に移動する構成とされていてもよい。
【００１４】
この構成によれば、開閉位置から、キャップカバーを右または左のいずれかの方向に少し回転させると、蓋体の形状に対してキャップカバーの開口部の形状が回転方向にずれていく。すなわち、この回転に伴って蓋体押え片が蓋体の上部に移動し、蓋体を上部から押さえる形となって蓋体の開放を確実に阻止する。すなわち、閉じている蓋体を確実にロックすることができる。また、上記構成によれば、キャップカバーをキャップ本体に対してスムーズに回転させることができる。さらに、上記構成によれば、キャップカバーをキャップ本体に装着するときの装着性が向上するとともに、一旦装着した後は、容易に外れることのない装着構造とすることができる。
【００１５】
また、本発明によれば、前記蓋体は、少なくとも外周部の一部若しくは対向する二辺が円弧以外の曲線状または直線状に形成された構成としてもよい。
【００１６】
また、本発明によれば、前記キャップカバーは、前記蓋体を開閉可能な開閉位置において、前記蓋体を開閉操作する操作部に対向する周側面に、前記開口縁部を下方に凹ませて前側開口凹部が形成され、前記蓋体の前記支持部に対向する周側面に、前記開口縁部を下方に凹ませて後側開口凹部が形成されており、前記後側開口凹部の幅は、前記支持部の幅に対して広い幅に形成された構成としている。
【００１７】
この構成によれば、蓋体の開閉位置において、蓋体の前方側の操作部と後方側の支持部とがキャップカバーから露出しているので、蓋体をスムーズに開閉操作することができる。また、後側開口凹部の幅は支持部の幅に対して広い幅に形成されているので、蓋体を開いた状態でキャップカバーが不測に回転したとしても、キャップカバーが支持部（例えば樹脂で一体成形されたヒンジ部）に直ぐに当たることはなく、当たるまでに若干の余裕があるので、蓋体を開いたまま回転させるといった不測の事態に対して支持部の破損を低減することができる。
【００２０】
また、本発明によれば、前記溝部には、前記突起部が当たって乗り越える第１リブ片が形成された構成としてもよい。
【００２１】
この構成によれば、キャップカバーを回転させると、突起部が第１リブ片を乗り越えることで操作者の手にクリック感が伝わるため、確実にその位置まで回したことを実感することができる。従って、このような第１リブ片を、溝部の複数箇所に形成しておくことで、キャップカバーを段階的に回転させることができる。
【００２２】
また、本発明によれば、前記溝部には、前記突起部の回動移動を規制する第２リブ片が形成された構成としてもよい。
【００２３】
キャップカバーの回転は、溝部を環状とすることで３６０度自由に回転する構造としてもよいが、確実にロックされる位置まで回転させると、そこで回転が規制され、それ以上は回転しないように第２リブ片を形成してもよい。
【発明の効果】
【００２６】
本発明によれば、蓋体を閉じた後、キャップカバーを任意の方向に回転させるたけで、蓋体押え片が閉じた蓋体の上部を確実に押さえるので、閉じた蓋体が不測に開くことを抑制することができる。つまり、閉蓋状態を確実に維持（ロック）することができる。また、本発明によれば、キャップカバーを僅かに回転させるだけで、蓋体押え片によって閉じた蓋体の上部を確実に押さえることができる。
【図面の簡単な説明】
【００２７】
【図１Ａ】実施形態に係る蓋ロック機能付きキャップを斜め上方からの視点で示す斜視図である。
【図１Ｂ】実施形態に係る蓋ロック機能付きキャップを斜め下方からの視点で示す斜視図である。
【図１Ｃ】図１ＡのＡ−Ａ線に沿う断面図である。
【図２Ａ】実施形態に係る蓋ロック機能付きキャップを構成するキャップ本体を斜め上方からの視点で示す斜視図である。
【図２Ｂ】実施形態に係る蓋ロック機能付きキャップを構成するキャップ本体を斜め下方からの視点で示す斜視図である。
【図２Ｃ】実施形態に係る蓋ロック機能付きキャップを構成するキャップ本体の平面図である。
【図２Ｄ】実施形態に係る蓋ロック機能付きキャップを構成するキャップ本体の側面図である。
【図２Ｅ】実施形態に係るキャップ本体の蓋体を開いた状態を斜め上方からの視点で示す斜視図である。
【図３Ａ】実施形態に係る蓋ロック機能付きキャップを構成するキャップカバーを斜め上方からの視点で示す斜視図である。
【図３Ｂ】キャップカバーの底面図である。
【図４】キャップカバーが図１に示す開閉位置にある状態を示す概略平面図である。
【図５】キャップカバーを図４に示す開閉位置に対して右回り方向に１５度回転させたときの蓋体と蓋体押え片との位置関係を示す概略平面図である。
【図６】キャップカバーを図４に示す開閉位置に対して右回り方向に４５度回転させたときの蓋体と蓋体押え片との位置関係を示す概略平面図である。
【図７】キャップカバーを図４に示す開閉位置に対して右回り方向に９０度回転させたときの蓋体と蓋体押え片との位置関係を示す概略平面図である。
【図８】キャップカバーを図４に示す開閉位置に対して右回り方向に１３５度回転させたときの蓋体と蓋体押え片との位置関係を示す概略平面図である。
【図９】キャップカバーを図４に示す開閉位置に対して右回り方向に１６５度回転させたときの蓋体と蓋体押え片との位置関係を示す概略平面図である。
【図１０】蓋体及び蓋体押え片の他の形状の具体例１を示す平面図である。
【図１１】蓋体及び蓋体押え片の他の形状の具体例２を示す平面図である。
【図１２】蓋ロック機能付きキャップの溝部に沿った横断面図である。
【図１３】第１リブ片部分を拡大した溝部に沿った横断面図である。
【図１４】キャップカバーの回転角度を９０度に規制した場合の溝部の形状の一例を示す概略横断面図である。
【図１５】図２ＡのＢ−Ｂ線に沿う断面図である。
【発明を実施するための形態】
【００２８】
以下、本発明の実施の形態について、図面を参照して説明する。
【００２９】
図１Ａは、本発明の実施形態に係る蓋ロック機能付きキャップを斜め上方からの視点で示す斜視図、図１Ｂは、本発明の実施形態に係る蓋ロック機能付きキャップを斜め下方からの視点で示す斜視図、図１Ｃは、図１ＡのＡ−Ａ線に沿った断面図である。
【００３０】
本発明の実施形態に係る蓋ロック機能付きキャップ１は、容器の口部に装着される外周部が円筒形状のキャップ本体１０と、容器の口部に対向するキャップ本体１０の上部に支持部を介して開閉自在に設けられた蓋体２０と、キャップ本体１０の外周部に沿って回転自在に装着されたキャップカバー３０と、を備えている。すなわち、本発明の蓋ロック機能付きキャップ１は、蓋体２０を一体に備えたキャップ本体１０と、キャップ本体１０に回転自在に装着されたキャップカバー３０の２部材によって構成されている。
【００３１】
（１）キャップ本体１０の説明
図２Ａは、実施形態に係る蓋ロック機能付きキャップ１を構成するキャップ本体１０を斜め上方からの視点で示す斜視図、図２Ｂは、実施形態に係る蓋ロック機能付きキャップ１を構成するキャップ本体１０を斜め下方からの視点で示す斜視図、図２Ｃは、実施形態に係るキャップ本体１０の平面図、図２Ｄは、実施形態に係るキャップ本体１０の側面図、図２Ｅは、実施形態に係るキャップ本体１０の蓋体２０を開いた状態を斜め上方からの視点で示す斜視図である。
【００３２】
キャップ本体１０は、容器本体から円筒状に突出した口部（図示省略）に外嵌めして装着する部分であり、口部に合せて全体が略円筒形状に形成されている。
【００３３】
キャップ本体１０の下部は、口部に装着する底面が開口された装着部であり、その内周部には、口部の外周部に形成された螺旋状の雄ねじ部に螺合するように、螺旋状の雌ねじ部１１が形成されている。ただし、口部とキャップ本体１０との装着構造はこのようなねじ構造に限るものではなく、従来周知の種々の装着構造を採用することが可能である。
【００３４】
ここで、本実施形態では、キャップ本体１０を容器の口部に装着した状態において、容器の正面から見た方向を前後方向とし、これに直交する方向を左右方向とする。
【００３５】
キャップ本体１０の上部には、蓋体２０を開閉自在に収納する蓋体収納凹部１２が設けられている。蓋体収納凹部１２は、本実施形態では、前後方向に開口し、左右方向に直線状の側壁部が平行に設けられた形状となっている。前後方向の開口部は、キャップ本体１０の外周部に沿った円弧状となっている。従って、蓋体収納凹部１２は、平面視では直線部を有する略楕円形状となっており、前方側から見て左右対称形状となっている。
【００３６】
この蓋体収納凹部１２の後端部は、キャップ本体１０の外周部から内側に凹んだ段差部１２ａとなっており、この段差部１２ａに、蓋体２０を開閉自在に支持する支持部であるヒンジ部１３が設けられている（主に図２Ｃ及び図２Ｄ参照）。また、蓋体収納凹部１２の底面には、容器内に収納された内部組成物を吐出するための吐出口１４が設けられている。
【００３７】
蓋体２０は、蓋体収納凹部１２に嵌まり合う形状（すなわち、平面視で円以外の形状）となっている。具体的には、前方側が円弧形状の指掛け部２１となっており、この指掛け部２１の左右両側から後方に向かって平行に直線状の側壁部２２，２２が形成され、両側壁部２２，２２の後端部同士が直線状の後壁部２３によって連接された構成となっている。すなわち、蓋体２０は、前方側から見て左右対称形状となっている。そして、後壁部２３と蓋体収納凹部１２の段差部１２ａとに渡って開閉軸であるヒンジ部１３が設けられた構成となっている。本実施形態では、キャップ本体１０と蓋体２０とは、ヒンジ部１３も含め樹脂による一体成形によって形成されている。ただし、ヒンジ部１３については、樹脂による一体成形ではなく、別途、棒状の支持軸（ピン）を用いてキャップ本体１０と蓋体２０とを開閉自在に連結する構造であってもよい。すなわち、蓋体２０の開閉機構については、特に限定されるものではなく、従来周知の種々の開閉機構を採用することが可能である。
【００３８】
蓋体２０は、蓋体収納凹部１２に収納された状態（すなわち、蓋体２０を閉じた状態）において、キャップ本体１０の上面１０ｂとほぼ面一となるように構成されている。また、蓋体２０は、蓋体収納凹部１２に収納された閉状態において、蓋体収納凹部１２の底面に設けられた吐出口１４を密閉する。
【００３９】
また、キャップ本体１０の外周部には、円弧状または環状の溝部１５が形成され、この溝部１５には、複数の第１リブ片１６が形成されている。なお、溝部１５及び第１リブ片１６については、キャップカバー３０と関係する部分であり、蓋体２０の開閉を規制する蓋ロック機能に直接係わる部分ではないため、後述するクリック機構の説明のところで詳述する。また、本実施形態では、溝部１５は環状、すなわちキャップ本体１０の外周部の周回方向の全周に渡って一連に形成されている場合について説明し、溝部１５が円弧状の場合については後ほど説明する。
【００４０】
（２）キャップカバー３０の説明
図３Ａは、実施形態に係る蓋ロック機能付きキャップを構成するキャップカバー３０を斜め上方からの視点で示す斜視図、図３Ｂは、キャップカバー３０の底面図である。
【００４１】
キャップカバー３０は、キャップ本体１０に外装する形で装着され、キャップ本体１０の外周部に沿って回転自在に設けられている。従って、キャップカバー３０は、下部及び上部が共に開口し、少なくとも内周部が円筒形状に形成されている。実施形態では、キャップカバー３０は、キャップ本体１０の形状に合せて全体が略円筒形状に形成されている。ただし、キャップカバー３０の外周形状は必ずしも円筒形状である必要はなく、意匠性や操作性等を考慮して種々の形状とすることができる。例えば、意匠性の面では外周形状を平面視で星型形状や花びら形状、連続する波形形状等にすることが考えられる。また、操作性の面から見れば、外周面をこのような凹凸形状とすることで、キャップカバー３０を回転させるときの指の滑りを防止できるといった効果を得ることができる。
【００４２】
また、キャップカバー３０は、上部側の開口縁部３１が、閉じた状態の蓋体２０より上方の位置まで延設され、かつ、延設された開口縁部３１ａ，３１ａから蓋体２０の上部に向かって一対の蓋体押え片３２，３２が延設された構成となっている。
【００４３】
また、キャップカバー３０は、蓋体２０を開閉可能な位置（図１に示す位置：以下、開閉位置ともいう。）において、蓋体２０を開閉操作する指掛け部（操作部）２１に対向する前側の周側面に、開口縁部３１を下方に凹ませて前側開口凹部３３が形成され、蓋体２０のヒンジ部１３に対向する後ろ側の周側面に、開口縁部３１を下方に凹ませて後側開口凹部３４が形成されている。前側開口凹部３３は、略Ｕ字状に形成され、後側開口凹部３４は、ヒンジ部１３が露出する高さまで凹ませた横長の長方形状に形成されている。このように、蓋体２０の開閉位置において、蓋体２０の指掛け部２１に対向する前側の周側面に前側開口凹部３３を形成し、蓋体２０のヒンジ部１３に対向する後ろ側の周側面に後側開口凹部３４を形成することで、開閉位置において蓋体２０の指掛け部２１とヒンジ部１３とがキャップカバー３０から露出しているので、蓋体２０をスムーズに開閉操作することができる。
【００４４】
また、このように前側開口凹部３３と後側開口凹部３４とを設けることで、キャップカバー３０の延設された開口縁部３１ａ（３１）は、実質的に開口縁部でもある前側開口凹部３３と後側開口凹部３４とを除いたキャップカバー３０の左右対称位置の２箇所に設けられており、この２箇所の開口縁部３１ａ，３１ａから蓋体２０の上部に向かって一対の蓋体押え片３２，３２がそれぞれ延設された構成となっている。蓋体押え片３２は平面視が弓形状に形成されており、その対向する縁部３２ａ，３２ａは、前後方向に向かって平行な直線状となっている。
【００４５】
この蓋体押え片３２は、前記開閉位置において、蓋体収納凹部１２の両側に位置するキャップ本体１０の上面１０ｂに完全に重なる位置に設けられている（図１Ｃを併せて参照）。つまり、前記開閉位置において、蓋体押え片３２の縁部３２ａが、蓋体収納凹部１２の縁部に平面視においてほぼ一致し、蓋体２０の側壁部２２に平面視において対峙するようになっており、蓋体２０の上部には重ならないようになっている。
【００４６】
その結果、一対の蓋体押え片３２，３２の縁部３２ａ，３２ａと前側開口凹部３３（３１）とによって形成される開口部の平面視での形状が、蓋体２０の指掛け部２１と左右の側壁部２２，２２とによって形成される平面視での形状に略一致する形状となっている。
【００４７】
すなわち、蓋体押え片３２に着目すれば、蓋体押え片３２は、前記開閉位置では蓋体２０の上部に重ならない位置にあり、この開閉位置からキャップカバー３０を回転させることで、蓋体押え片３２も同方向に回転して、蓋体２０の上部の重なる位置に移動するようになっている。
【００４８】
この構成によれば、キャップカバー３０の開口部の形状が蓋体２０の形状と一致する位置では、蓋体２０の開閉が可能となる。一方、この開閉位置から、キャップカバー３０を右または左のいずれかの方向に少し回転させると、蓋体２０の形状に対してキャップカバー３０の開口部の形状が回転方向にずれていく。すなわち、この回転に伴って蓋体押え片３２が蓋体２０の上部に移動し、蓋体２０を上部から押さえる形となって蓋体２０の開放を確実に阻止する。つまり、閉じている蓋体２０を確実にロックすることができる。この場合、キャップカバー３０をほんの少し回転させるだけでも、蓋体２０の形状に対してキャップカバー３０の開口部の形状が回転方向にずれるので、蓋体２０の角部をキャップカバー３０の蓋体押え片３２で押さえることができる。すなわち、キャップカバー３０を僅かに回転させるだけで、閉まっている蓋体２０にロックをかけることが可能となっている。
【００４９】
一方、キャップカバー３０の下部底面は開口されており、その内周部には、キャップ本体１０の外周部に形成された溝部１５に嵌まり込んで摺動する突起部３５が形成されている。形成される突起部３５の数は特に限定されるものではないが、溝部１５に沿って周回方向の複数箇所に設けられていることが好ましい。本実施形態では、対称位置の２箇所に設けられている。突起部３５を複数箇所に設けることで、キャップカバー３０の回転がよりスムーズなものとなる。なお、突起部３５については、キャップ本体１０の溝部１５及び第１リブ片１６と関係する部分であり、蓋体２０の開閉を規制する蓋ロック機能に直接係わる部分ではないため、後述するクリック機構の説明のところで詳述する。
【００５０】
（３）蓋ロック機能の説明
実施形態に係る蓋ロック機能付きキャップ１は、上記構成の各部材を組み付けることによって一体に形成されている。すなわち、蓋体２０が取り付けられたキャップ本体１０にキャップカバー３０を外嵌し、キャップカバー３０の内周部に形成された突起部３５をキャップカバー３０の外周部に形成された溝部１５に嵌め込むことで、キャップカバー３０がキャップ本体１０から外れることなく、キャップ本体１０の外周部に沿って周回方向に回転自在に装着されている。図４は、キャップカバー３０が開閉位置にある場合の概略平面図であり、図５ないし図９は、キャップカバー３０を図４に示す開閉位置に対して右回り方向に１５度、４５度、９０度、１３５度、１６５度それぞれ回転させたときの蓋体２０と蓋体押え片３２との位置関係を示す概略平面図である。
【００５１】
図４に示すように、キャップカバー３０の前側開口凹部３３が蓋体２０の指掛け部２１に対向する開閉位置では、蓋体押え片３２は蓋体２０とは重ならない位置にあるため、蓋体２０を自由に開閉操作することができる。この場合、図４に示すように、後側開口凹部３４は、その横幅Ｗ１がヒンジ部１３の幅Ｗ２に対して十分広い幅に形成されている。このように、後側開口凹部３４の幅Ｗ１をヒンジ部１３の幅Ｗ２より十分広くすることで、使用者が蓋体２０を開いた状態でキャップカバー３０をうっかり回転させたとしても、後側開口凹部３４の左右の縁部がヒンジ部１３に直ぐに当たることはなく、当たるまでに若干の余裕があるので、蓋体２０を開いたまま回転させるといった不測の事態に対して、ヒンジ部１３が破損することを少しでも低減することができる。
【００５２】
一方、図４に示す開閉位置からキャップカバー３０を右または左のいずれかの方向に回転させると、その回転が僅かであっても、蓋体押え片３２が蓋体２０の上部に位置することになり、蓋体２０の開動作を抑制して、蓋体２０が不測に開かないようにロックすることができる。
【００５３】
具体的に説明すると、キャップカバー３０を図４に示す開閉位置から例えば右方向Ｒ１に１５度回転させると、図５に示すように、蓋体押え片３２も同方向に回転し、その一部が蓋体２０の上部に重なることになる。すなわち、この場合には、右側の蓋体押え片３２が蓋体２０の右前角部分（指掛け部２１の右側部分）と僅かではあるが重なり、左側の蓋体押え片３２が蓋体２０の左後角部分と僅かではあるが重なることになり、蓋体２０はこの２箇所の重なり部分（図５中、重なり部分を破線を付して示す。）において各蓋体押え片３２，３２によって押さえられ、蓋体２０が不測に開かないようにロックされることになる。
【００５４】
また、キャップカバー３０をさらに回転させて図４に示す開閉位置から右方向Ｒ１に４５度回転させると、図６に示すように、蓋体押え片３２もさらに同方向に回転し、その中央部が蓋体２０の上部に重なることになる。すなわち、この場合には、右下側の蓋体押え片３２が蓋体２０の右前角部分（指掛け部２１の右側部分）と広い面積で重なり、左上側の蓋体押え片３２が蓋体２０の左後角部分と広い面積で重なることになり、蓋体２０はこの２箇所の重なり部分（図６中、重なり部分を破線を付して示す。）において、各蓋体押え片３２，３２によって確実に押さえられ、蓋体２０が不測に開かないように確実にロックされることになる。
【００５５】
また、キャップカバー３０をさらに回転させて図４に示す開閉位置から右方向Ｒ１に９０度回転させると、図７に示すように、蓋体押え片３２もさらに同方向に回転し、その縁部３２ａ部分の全体が蓋体２０の上部に重なることになる。すなわち、この場合には、下側の蓋体押え片３２のほぼ全体が蓋体２０の前方部分である指掛け部２１の全体と重なり、上側の蓋体押え片３２のほぼ全体が蓋体２０のヒンジ部１３を含む後方部分の全体と重なることになり、蓋体２０はこの上下（前後）２箇所の重なり部分（図７中、重なり部分を破線を付して示す。）において、各蓋体押え片３２，３２によって確実に押さえられ、蓋体２０が不測に開かないように確実にロックされることになる。
【００５６】
また、キャップカバー３０をさらに回転させて図４に示す開閉位置から右方向Ｒ１に１３５度回転させると、図８に示すように、蓋体押え片３２もさらに同方向に回転し、その中央部が蓋体２０の上部に重なることになる。すなわち、この場合には、右上側の蓋体押え片３２が蓋体２０の右後角部分（ヒンジ部１３が設けられている部分）と広い面積で重なり、左下側の蓋体押え片３２が蓋体２０の左前角部分（指掛け部２１の左側部分）と広い面積で重なることになり、蓋体２０はこの２箇所の重なり部分（図８中、重なり部分を破線を付して示す。）において、各蓋体押え片３２，３２によって確実に押さえられ、蓋体２０が不測に開かないように確実にロックされることになる。
【００５７】
また、キャップカバー３０をさらに回転させて図４に示す開閉位置から右方向Ｒ１に１６５度回転させると、図９に示すように、蓋体押え片３２もさらに同方向に回転し、その中央部が蓋体２０の上部に重なることになる。すなわち、この場合には、右側の蓋体押え片３２が蓋体２０の右後角部分（ヒンジ部１３が設けられている部分）と僅かではあるが重なり、左側の蓋体押え片３２が蓋体２０の左前角部分と僅かではあるが重なることになり、蓋体２０はこの２箇所の重なり部分（図９中、重なり部分を破線を付して示す。）において、各蓋体押え片３２，３２によって押さえられ、蓋体２０が不測に開かないようにロックされることになる。
【００５８】
なお、上記蓋ロック機能の説明では、キャップカバー３０を右方向Ｒ１に回転させた場合について説明したが、左方向Ｒ２に回転させた場合も全く同様である。また、上記蓋ロック機能の説明では、理解を容易にするために、キャップカバー３０の回転角度を１５度、４５度、９０度等のある決まった角度まで回転させたときのロック状態について説明している。しかし、上記説明からも明らかなように、本実施形態の蓋ロック機能付きキャップ１は、キャップカバー３０を、開閉位置から僅かでも回転させると、蓋体押え片３２が蓋体２０の上部に移動して、蓋体２０をロックすることになる。すなわち、開閉位置以外であればどの位置にキャップカバー３０を回転させても、蓋体２０を確実にロックすることが可能な構成となっている。
【００５９】
このような蓋ロック機能を実現するためには、上記したように蓋体２０の形状が重要であり、蓋体２０が円形状であった場合には、開閉位置以外で蓋体２０をロックすることはできない。そのため、本実施形態では、蓋体２０の形状を前方側の指掛け部２１を円弧形状とし、これに続く左右側壁部２２，２２を平行な直線形状としている。そして、これに対応する蓋体押え片３２の縁部３２ａも、側壁部２２に平面視で対峙するように直線形状となっている。しかし、このような形状は一例であり、本発明では蓋体２０の平面視での形状が円形状以外の形状であればどのような形状でも対応することができる。以下、蓋体２０及び蓋体押え片３２の他の形状の具体例について一例を挙げて説明する。
【００６０】
（蓋体２０及び蓋体押え片３２の他の形状の具体例１）
図１０は、蓋体２０及び蓋体押え片３２の他の形状の具体例１を示す平面図である。
【００６１】
具体例１では、蓋体２０は左右両側の側壁部２２，２２に直線部分を含まない前後方向に長い楕円形状（ただし、後部側はヒンジ部１３を設ける関係上、直線となっている。）となっており、キャップカバー３０に設けられる蓋体押え片３２も、その縁部３２ａが平面視で蓋体２０の湾曲状の側壁部２２に対峙するように凹ませた湾曲状となっており、全体として三日月形状となっている。このような構成であっても、開閉位置以外であればどの位置にキャップカバー３０を回転させても、蓋体２０を確実にロックすることが可能となる。
【００６２】
（蓋体２０及び蓋体押え片３２の他の形状の具体例２）
図１１は、蓋体２０及び蓋体押え片３２の他の形状の具体例２を示す平面図である。
【００６３】
上記実施形態や具体例１では、蓋体２０を左右対称形状としているが、具体例２では、意匠性等を考慮して、蓋体２０を敢えて左右非対称の形状とした場合を例示している。
【００６４】
すなわち、具体例２では、蓋体２０の右側の側壁部２２のみを直線状とし、左側の側壁部２２ａは円弧形状としている。すなわち、指掛け部２１及び左側の側壁部２２ａの全体が円弧形状となっている。そのため、具体例２では、キャップカバー３０に設けられる蓋体押え片３２は、直線である右側の側壁部２２に対峙する右側の１箇所のみとなっている。この場合、キャップカバー３０を回転させると、蓋体押え片３２が蓋体２０の上部に重なる位置が１箇所のみとなるが、この場合でも蓋体押え片３２によって蓋体２０が押さえられることに変わりはないので、蓋体２０が不測に開かないようにロックされることになる。
【００６５】
上記具体例１，２からも分かるように、本発明の蓋ロック機能付きキャップ１では、蓋体２０は円形状以外の形状（ただし、円に極めて近い形状等は除く）であればどのような形状であっても、ロック機能を持たせることができる点に特徴を有している。
【００６６】
なお、上記具体例１では、蓋体２０の側壁部２２、及びこれに対向する蓋体押え片３２の縁部３２ａの両方を共に曲線とし、上記具体例２では、蓋体２０の側壁部２２、及びこれに対向する蓋体押え片３２の縁部３２ａの両方を共に直線とした場合を例示しているが、このような曲線同士、直線同士のパターンに限定されるものではない。例えば、蓋体２０の側壁部２２を直線とし、これに対向する蓋体押え片３２の縁部３２ａを曲線とするパターン、蓋体２０の側壁部２２を曲線とし、これに対向する蓋体押え片３２の縁部３２ａを直線とするパターン等、種々の組み合わせのパターンを採用することが可能である。本発明によれば、ロックさせる回転角度にこだわらなければ、どのような組み合わせのパターンであっても、キャップカバー３０を回転させることにより、蓋体押え片３２によって蓋体２０を直接ロックすることが可能である。
【００６７】
また、上記実施形態及び具体例１，２では、蓋体押え片３２の数（すなわち設ける箇所）を左右対称位置の２箇所、若しくは左または右の１箇所としているが、蓋体押え片３２を設ける箇所は、３箇所以上であってもよい。すなわち、蓋体押え片３２をさらに小さく分割して、キャップカバー３０の周囲に分散させて配置してもよい。どのように配置するかは、蓋体２０の形状との兼ね合いで適宜決定すればよい。
【００６８】
一方、使用者にとっては、どの位置に回転させても蓋ロック機能が働くことは操作性の点で便利であるが、その反面、キャップカバー３０を回転させて蓋体２０が確実にロックされていることを何らかの感触若しくは感覚で確認できれば安心である。そこで、本実施形態では、蓋ロック機能が確実に機能していること、すなわち、蓋体押え片３２が蓋体２０の上部にあって確実に蓋体２０の開放を規制する位置にあることを使用者に知らせるために、クリック機能及び回転ロック機能を備えた構成としている。以下、クリック機能及び回転ロック機能について説明する。
（３）クリック機能及び回転ロック機能の説明
上記したように、キャップカバー３０は、内周部に設けられた突起部３５が、キャップ本体１０の外周部に設けられた溝部１５に嵌まり込んで摺動することで、キャップ本体１０の周囲を自由に回転する構成としている。
【００６９】
そこで、実施形態では、溝部１５の適所に、突起部３５が当たって乗り越える第１リブ片１６を設けている。キャップ本体１０及びキャップカバー３０は樹脂で形成されている。そのため、キャップカバー３０は、樹脂自体の有する弾性力によって多少の変形が可能であり、突起部３５はこの弾性変形力によって第１リブ片１６を乗り越えるように構成することができる。
【００７０】
図１２は、蓋ロック機能付きキャップ１の溝部１５に沿った横断面図、図１３は第１リブ片１６部分を一部拡大した溝部１５に沿った横断面図である。
【００７１】
図１３に示すように、第１リブ片１６は、各クリック位置において、突起部３５の幅より少し広めの間隔を存して一対設けられている。この一対の第１リブ片１６ａ，１６ｂは、図１３に示すように、回転方向に沿って断面山形に形成されており、かつ、その高さＨ１は、突起部３５の高さＨ２（すなわち、溝部１５の深さに略相当）よりも低くなっている。これにより、突起部３５は、溝部１５内において第１リブ片１６を乗り越えることが可能となっている。そして、この第１リブ片１６ａ，１６ｂ間に挟まった状態の突起部３５が、左方向Ｒ１に回転すると、左側の第１リブ片１６ａを乗り越えるときにクリック感（樹脂の弾性変形、弾性復帰による弾発力）が得られ、右方向Ｒ２に回転すると、右側の第１リブ片１６ｂを乗り越えるときにクリック感を得ることができる。また、各クリック位置において第１リブ片１６を一対設けることで、突起部３５が第１リブ片１６ａ，１６ｂ間に嵌まり込んだときに、その位置で止まった感じ（ロック感）を得ることができる。
【００７２】
この構成によれば、キャップカバー３０を回転させると、突起部３５が第１リブ片１６ａ，１６ｂを乗り越えることで操作者の手にクリック感（及びロック感）が伝わるため、確実にその位置まで回したことを実感（すなわち、感触によって確認）することができる。従って、このような一対の第１リブ片１６ａ，１６ｂを、回転角度で例えば１５度ごと、３０度ごと、４５度ごと等の間隔で溝部１５内に形成しておくことで、キャップカバー３０を所定の角度に段階的に回転させることが容易となる。
【００７３】
なお、図１２では、４５度ごとに一対の第１リブ片１６ａ，１６ｂを形成した場合を例示している。従って、この場合には、キャップカバー３０が図４に示す開閉位置まで回転したとき、図６及び図８に示す４５度の位置まで回転したとき、及び、図７に示す９０度の位置まで回転したときに、それぞれクリック感が得られることになる。
【００７４】
また、上記の説明では、キャップカバー３０がキャップ本体１０の周囲を３６０度自由に回転できる場合を例に挙げて説明しているが、キャップカバー３０の回転角度は例えば９０度等に規制されていてもよい。すなわち、確実にロックされる位置まで回転させると、そこで回転が規制され、それ以上は回転しないように構成してもよい。
【００７５】
図１４は、キャップカバー３０の回転角度を９０度に規制した場合を例示している。
【００７６】
この場合には、溝部１５は、キャップ本体１０の外周部の全周ではなく、キャップ本体１０の左右両側に設けられた一対の第１リブ片１６ａ，１６ｂを中心として、左右の回転方向Ｒ１，Ｒ２にそれぞれ４５度の角度まで（すなわち、全体として９０度の回転角度の範囲だけ）形成されている。そして、このように形成された溝部１５の端部では、溝部１５の端壁１５ａとこれに対向する１個の第１リブ片１６ｃとによって、一対の第１リブ片１６ａ，１６ｂと同じ機能を果たしている。
【００７７】
すなわち、この場合には、端壁１５ａと第１リブ片１６ｃとの間に嵌まり込んでいる突起部３５が、溝部１５の反対側の端壁１５ａに向かって第１リブ片１６ｃを乗り越えるときにクリック感が得られ、溝部１５内の突起部３５が、端壁１５ａ側に向かって第１リブ片１６ｃを乗り越えたとき、クリック感と共に、端壁１５ａに当たってそれ以上の回転を規制されるロック感を得ることができる。従って、この場合には、溝部１５の端壁１５ａが、請求項に記載の突起部の回動移動を規制する第２リブ片として機能することになる。
【００７８】
すなわち、図１４に示す例では、キャップカバー３０が図１に示す開閉位置まで回転したときにクリック感が得られ、図６及び図８に示す４５度の位置まで回転したときにクリック感とロック感が得られることになる。
【００７９】
この構成によれば、使用者は、蓋体２０を閉めた後、回転が止まる位置までキャップカバー３０を開閉位置から一方向に一気に回転させればよく、蓋体２０がロックされているか否かをいちいち目視等によって確認する必要がない。
【００８０】
なお、規制する回転角度の９０度はあくまで一例であり、例えば３０度、６０度、１２０度、１５０度等、自由に設定することが可能である。また、上記の回転角度規制では、キャップカバー３０を開閉位置から左方向Ｒ１及び右方向Ｒ２の両方に回転可能として説明しているが、開閉位置から左方向Ｒ１または右方向Ｒ２のいずれか一方向にのみ例えば４５度だけ回転可能に構成してもよい。
【００８１】
さらに、図１４では、溝部１５をキャップ本体１０の外周部の一部に形成することでキャップカバー３０の回転角度を規制する構成としているが、溝部１５自体はキャップ本体１０の外周部の全周に形成しておき、溝部１５の端部１５ａに該当する箇所に、第１リブ片１６ｃよりも背の高い（すなわち、キャップ本体１０の外周面まで達する高さの）第２リブ片を形成することで、キャップカバー３０の回転角度を規制する構成としてもよい。
【００８２】
（４）蓋ロック機能付きキャップ１の装着性の説明
本実施形態の蓋ロック機能付きキャップ１では、キャップカバー３０をキャップ本体１０に装着するときの装着性も考慮されている。
【００８３】
図１５は、図２ＡのＢ−Ｂ線に沿う断面図である。
【００８４】
図２Ａ及び図１５に示すように、キャップ本体１０には、溝部１５が形成された外周部であって、キャップカバー３０に形成された突起部３５に対応する位置に、開口縁部３１ａの上端部から溝部１５に達する縦溝１７が形成されている。また、縦溝１７内であって、溝部１５の直上位置には、縦溝１７内を突起部３５が下方に摺動して溝部１５側に乗り越える第３リブ片１８が形成されている。この第３リブ片１８は、溝部１５内に嵌まり込んだ突起部３５が縦溝１７側に再び戻らない構成とされている。具体的には、第３リブ片１８は、開口縁部３１ａ側から溝部１５側に向かって外側に広がる傾斜面１８ａに形成され、この傾斜面１８ａの下端部から連続する下面１８ｂが水平面となっている。すなわち、第３リブ片１８を乗り越えて溝部１５に嵌まり込んだ突起部３５は、溝部１５内での周回方向の回転によって縦溝１７と対峙する位置まで回転したとしても、縦溝１７の下部は第３リブ片１８の水平面（下面）１８ｂによって塞がれており、突起部３５はこの水平面１８ｂによって上方への移動が規制される。これにより、キャップカバー３０をキャップ本体１０に装着するときの装着性が向上するとともに、一旦装着した後は、容易に外れることのない装着構造とすることができる。
【００８５】
なお、上記実施形態では、溝部１５をキャップ本体１０の外周部に設け、突起部３５をキャップカバー３０の内周部に設けているが、これとは逆に、溝部１５をキャップカバー３０の内周部に設け、突起部３５をキャップカバー３０の外周部に設けてもよい。
【００８６】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【符号の説明】
【００８７】
１  蓋ロック機能付きキャップ
１０  キャップ本体
１０ｂ  上面
１１  雌ねじ部
１２  蓋体収納凹部
１２ａ  段差部
１３  ヒンジ部（支持部）
１４  吐出口
１５  溝部
１５ａ  端壁（第２リブ片）
１６  第１リブ片
１７  縦溝
１８  第３リブ片
１８ａ  傾斜面
１８ｂ  下面（水平面）
２０  蓋体
２１  指掛け部
２２，２２ａ  側壁部
３０  キャップカバー
３１，３１ａ  開口縁部
３２  蓋体押え片
３３  前側開口凹部
３４  後側開口凹部
３５  突起部
【図１Ａ】
0006602191.tif 000002
【図１Ｂ】
0006602191.tif 000003
【図１Ｃ】
0006602191.tif 000004
【図２Ａ】
0006602191.tif 000005
【図２Ｂ】
0006602191.tif 000006
【図２Ｃ】
0006602191.tif 000007
【図２Ｄ】
0006602191.tif 000008
【図２Ｅ】
0006602191.tif 000009
【図３Ａ】
0006602191.tif 000010
【図３Ｂ】
0006602191.tif 000011
【図４】
0006602191.tif 000012
【図５】
0006602191.tif 000013
【図６】
0006602191.tif 000014
【図７】
0006602191.tif 000015
【図８】
0006602191.tif 000016
【図９】
0006602191.tif 000017
【図１０】
0006602191.tif 000018
【図１１】
0006602191.tif 000019
【図１２】
0006602191.tif 000020
【図１３】
0006602191.tif 000021
【図１４】
0006602191.tif 000022
【図１５】
0006602191.tif 000023